Podtech/llm-jp-corpus-v4-ja_patent huggingface dataset:
(57)【要約】      （修正有）【課題】傘本体に、雨具用品等を収納できる、雨具用品収納室を設け、収納されている雨具は、傘本体から降り掛かる雨身体に降り掛かる雨を防御する。【解決手段】傘本体１に雨具用品収納室２を設け、収納雨具を出し入れできるように３を設け、蓋が開閉自在となる。雨具が収納、装備によつて、雨の防御に役立つ。【選択図】図１
0003125597.tif 000002
【実用新案登録請求の範囲】
【請求項１】
傘本体に雨具用品収納室を設け、当該雨具用品収納室に装着した開閉自在の蓋を設けるとともに、傘本体軸開閉装置の下部の部分に設けることを特徴ととする雨具用品収納室付傘
【考案の詳細な説明】
【技術分野】
【０００１】本考案は、雨具用品収納部及び収納室に蓋を設けた、傘にかんするものである。
【背景技術】
【０００２】通勤、通学、一般家庭用途、業務用用途、雨の場合、レインコート、雨具等は別に収納していた。
【考案の開示】
【考案が解決しようとする課題】
【０００３】別収納の場合は、多量の雨に対し、即、対応が必要になる。他の場所は時間的、労働的、負担である。傘の機能を一体化することにより、雨具等の収納により、多量の雨を防ぐことが可能になり、前述の欠点を解決しょうとするものである。【０００４】本考案は、傘本体に雨具を収納する雨具収納室を設け、筒形の空洞の収納室に出し入れ用に蓋が開閉自在になるようにし、収納室に雨具を装備し、身体に装着し雨を防御する。傘本体かかる雨を防御することを可能にし、雨に雨具を装備することにより問題点を解決している。【０００５】上述の様に、本考案の雨具用品収納室付傘本体に、雨具収納室に出し入れ可能な蓋を設けたので、レインコート、雨具等を収納でき、傘本体が一体なので、傘本体以外の雨に対して、雨を防御することに役立つ。【０００６】傘本体を開き、傘本体に固定してある、雨具を収納する、筒状の収納室、上部のキャツプ状の蓋を取り外し、収納されている雨具を取り出し、蓋を閉める。雨具を収納する場合は蓋を取り外し、雨具を収納し蓋を閉める。開閉は自由自在となる。【０００７】以下、添付図面に従って一実施例を説明する。１は耐久性のプラスチックス等適宜素材にて一体化形成された傘本体、２はレインコート、雨具等を収納するため傘本体１内に設けた雨具用品収納室で、この雨具用品収納室２は３にてキャツプ状の蓋は開閉自在となる。４は雨具用品収納室に着いている傘本体の軸棒５は雨具用品収納室に着いている傘本体の軸棒。【０００８】６傘本体軸の下部傘をもつ取っ手、５ａは傘本体軸の下部４ａは傘本体軸の上部、１ａは雨具用品収納室３ａは雨具用品収納室出し入れ口の開閉蓋、７は傘本体のテント【０００９】本考案の一実施例は上述の如き、構成からなるものであるから、傘本体１は傘としてもちいることは勿論であるが、３の雨具用品収納室の蓋を外すと、中の収納用品を取り出すことができ開閉される。
【図面の簡単な説明】
【００１０】
【図１】本考案の雨具用品収納室付傘の一実施例を示す正面図である。
【図２】本傘の一部切欠断面図である。
【符号の説明】
【００１１】１傘本体
２雨具用品収納室
３蓋
４傘本体軸
５傘本体軸
６取っ手
７テント
８骨組
【図１】
0003125597.tif 000003
【図２】
0003125597.tif 000004
(57)【要約】      （修正有）【課題】野菜の水切りを簡単に且つ、経済的、労働的負担も少なくおこなえ、小さく折りたためる器具を提供する。【解決手段】内側に網状の水きりネット、外側に水を受け止める袋の二重構造からなり、遠心力により野菜から水を分離する。また袋の口に紐３をつけることで開閉を容易にし、紐をはずせば内側のネットと外側の袋を簡単にはずすことができ、水きり後の野菜だけを簡単に取り出せる。【選択図】図３
0003125598.tif 000002
【実用新案登録請求の範囲】
【請求項１】
水を切るネットと出た水を受け止める袋の二重構造からなる野菜用水切り袋。
【請求項２】
製品の口に紐をつけることにより、容易に開閉ができ、かつネットと袋の分離も容易にできる野菜用水切り袋。
【考案の詳細な説明】
【技術分野】
【０００１】  本考案は、野菜の水切りを行うための、ネットと袋の二重構造の製品に関するものである。
【背景技術】
【０００２】  野菜の水切りには大きな器具が必要で、その清掃は時間がかかり、置き場所は広く必要だった。
【考案の開示】
【考案が解決しようとする課題】
【０００３】  従来の野菜水きり器は経済的負担も大きく、また、スペースも必要になる。さらに、その清掃は時間的、労働的な負担である。これを袋で行うことにより、安価で折り畳みができ、清掃も簡単にし、前述の欠点を解決しようとするものである。
【課題を解決するための手段】
【０００４】  本考案は、内側に網状のネット、外側に袋の二重構造からなり、その口部分を紐で開閉できるようにし、野菜を入れて振ることにより、遠心力で水と野菜を分離することで従来の問題点を解決している。
【考案の効果】
【０００５】  上述のように袋状であることから、安価で折り畳みができ、状況に応じて使い捨てることもできる。
【考案を実施するための最良の形態】
【０００６】  網状のネットに対し外側の袋は２０センチほど長いサイズを用い、遠心力にて分離した水と野菜が接しないようにする。口部分にはネット、袋ともに等間隔で紐通し用の穴が開いており、そこに紐を通すことにより、巾着袋のように開閉できる。水きり後は紐を抜けば、ネットと袋を分離させ、野菜の入ったネットだけを取り出すことができる。
【実施例】
【０００７】  以下、添付図面に従って一実施例を説明する。１はナイロン等適宜素材にて形成された網状の水きりネットである。２はビニール等適宜素材にて形成された袋である。
３は紐である。１を２の内側にいれ、上方口縁部の穴に３を縫うように通すことにより１と２と３は一体化する。
【図面の簡単な説明】
【０００８】
【図１】  ナイロン等適宜素材の網状の水きりネットである
【図２】  ビニール等適宜素材の袋である。
【図３】  本考案を示す正面図である。
【符号の説明】
【０００９】１  ネット
２  袋
３  紐
【図１】
0003125598.tif 000003
【図２】
0003125598.tif 000004
【図３】
0003125598.tif 000005
(57)【要約】      （修正有）【課題】バスタブにゆったり浸かった状態において頭部にシャワーの湯を浴び、美容院で受けるシャンプーサービスのような快感を得るシャワー装置を提供する。【解決手段】バスタブに浸かった状態において、人体の頭部が位置するバスタブの一部に頭部を覆うフードを設置する。フード内面にシャワーノズルを配設し、圧力のかかったシャワーの湯を頭部表面に吹き付ける。フードにより浴室内にシャワーの湯が飛散するのを防止することができる。【選択図】図２
0003125592.tif 000002
【実用新案登録請求の範囲】
【請求項１】
人体がバスタブ内の湯に浸かった状態において、人体頭部が位置するバスタブの一部に頭部を覆うようにフードを設置し、フードの内面にシャワーノズルを配設した構造のシャワー装置。
【考案の詳細な説明】
【技術分野】
【０００１】本考案はバスタブと組み合わせたシャワー装置に関する。
【背景技術】
【０００２】バスタブ内の湯に浸かりながらシャワーを浴びることができる装置の技術としては例えば特開２００２−１２５８７６が公知であるが、シャワーを浴びる姿勢はバスタブ内に座り、シャワーヘッドの位置を高くした「うたせ湯」としての機能であった。本考案はバスタブ内に体を横たえた状態あるいは座した状態で頭部のみにシャワーを吹き付けて、あたかも美容院で受けるシャンプーサービスのような快感を与えるものである。
【考案の開示】
【考案が解決しようとする課題】
【０００３】バスタブ内の湯に浸かった状態で、頭部にのみ圧力をかけた湯をシャワー状に吹き付けて、全身の入浴と同時に頭部にシャワーを浴びることができる装置を提供するものである。快感を得るためには頭部に一定のシャワーの圧力がかかる必要がある。さらに頭部に当たったシャワーの湯が浴室内に飛散しない構造が求められる。
【課題を解決するための手段】
【０００４】バスタブに浸かった状態で頭部が位置するバスタブの一部に、頭部全体を覆うフードを設置する。フード内部にはシャワーノズルを配設し、シャワーノズルの先端から圧力のかかった湯を吹き付けて頭部表面を洗浄する。洗浄後の落下した湯は排水口に吸収する。
【考案の効果】
【０００５】全身の入浴と同時に頭部の油や汚れを洗浄できる。さらに頭部への刺激が加わるため普通の入浴以上に快感を得ることができる。頭部を覆うフードによりシャワーノズルと頭部表面間の距離が近接し強い圧力を感ずることができるほか、シヤワーの湯が浴室内に飛散するのを防止できる。
【考案を実施するための最良の形態】
【０００６】コンパクトな装置にするにはバスタブとフードを一体化することが望ましい。またフード内部に取り付けるシャワーノズルは頭部全体を洗浄、刺激するため複数個を配設することが望ましい。以下実施例により考案実施の態様を説明する。
【実施例】
【０００７】一実施例について図面を参照して説明する。
図１は本考案によるバスタブ全体の側面斜視図を示す。バスタブ１において頭部が位置する個所にフード２を設置する。フード１内面に頭部に近接してシャワーノズル３を配設する。フード２内部の底面に排水口４を設置する。図２はフード２内部におけるシャワーノズル３を配設した状態を示す斜視図である。頭部に近接して３個のシャワーノズル３を配設している。
【図面の簡単な説明】
【図１】本実施の形態に係わるバスタブ全体の斜視図である。
【図２】本実施の形態に係わるフード内部におけるシャワーノズルを配設した状態を示す斜視図である。
【符号の説明】
１  バスタブ
２  フード
３  シャワーノズル
４  排水口
【図１】
0003125592.tif 000003
【図２】
0003125592.tif 000004
(57)【要約】      （修正有）【課題】着脱が容易にでき、カップが体に密着し製造も容易となるブラジャーを提供する。【解決手段】伸縮する素材に取り付けたファスナーを体の左右両側面に配設して、体の垂直中心線に対してファスナーの取り付けを斜めにすることにより、体の側面におけるファスナーの開閉操作がし易くなり、製造における加工も容易である。またファスナーの取り付け素材が伸縮するためカップが体に密着する。【選択図】図１
0003125593.tif 000002
【実用新案登録請求の範囲】
【請求項１】
ファスナーを体の左右両側面に配設して、体の垂直中心線に対してファスナーの取り付けを斜めにした構造のブラジャー。
【請求項２】
ファスナーに伸縮する素材を結合した構造の請求項１記載のブラジャー。
【考案の詳細な説明】
【技術分野】
【０００１】本考案はブラジャーの改良に関する。
【背景技術】
【０００２】ブラジャーを着脱し易くするためにカップの両側面にファスナーを取り付ける技術は、特開２００５−０７６１７１のように公知である。しかし曲線的にファスナーを取り付けるためファスナーの開閉操作がしにくいうえ、製造における加工が容易でない欠点があった。
【考案の開示】
【考案が解決しようとする課題】
【０００３】ファスナーの開閉操作がし易く、カップが体に密着し製造も容易となるブラジャーを提供する。
【課題を解決するための手段】
【０００４】伸縮する素材に取り付けたファスナーを体の左右両側面に配設して、体の垂直中心線に対してファスナーを斜めに取り付ける。
【考案の効果】
【０００５】ファスナーを体の側面に斜めに取り付けるため、ファスナーを開閉操作するとき腕の動きは体の前後方向になる。すなわち前後方向に押すか又は引くかの動作であり操作が容易である。伸縮する素材にファスナーを取り付けるのでカップが体に密着する。またファスナーの取り付け位置は体の側面であるため製造において加工がし易い。
【考案を実施するための最良の形態】
【０００６】体の両側面に配設するファスナーを伸縮する素材に結合する。ファスナーを結合した伸縮する素材をカップと組み合わせる。以下実施例により考案実施の態様を説明する。
【実施例】
【０００７】一実施例について図面を参照して説明する。図１は本考案の斜視図を示す。左右のカップ１および２には胸の周囲を囲んだ背面布３を結合してカップ１および２を体に固定する。背面布３において、体の左右側面に位置する部分にファスナー４を結合した伸縮する素材５を配設する。ファスナー４は体の垂直中心線に対して斜めに取り付ける。
【図面の簡単な説明】
【図１】本実施の形態に係わるファスナーを取り付けた状態を示すブラジャーの斜視図である。
【符号の説明】
１      カップ
２      カップ
３      背面布
４      ファスナー
５      伸縮する素材
【図１】
0003125593.tif 000003
(57)【要約】      （修正有）【課題】簡易プレハブ物置を建物や隣地境界等に近接して配置したい際、雨排水や雪の落下に配慮して奥に空地を残し、その分前面に出して設置する必要がなく、敷地の有効利用が図れる。【解決手段】簡易プレハブ物置の屋根勾配を、出入口の有る手前側に水下をもってくる事で解決できる。【選択図】図１
0003125561.tif 000002
【実用新案登録請求の範囲】
【請求項１】
簡易プレハブ物置の出入口側に、屋根勾配の水下側が来るのを特徴とする。
【考案の詳細な説明】
【技術分野】
【０００１】  この考案は簡易プレハブ物置を限られた敷地の中で、建物や隣地境界などに近接して配置する際に関する。
【背景技術】
【０００２】
【考案の開示】
【考案が解決しようとする課題】
【０００３】  簡易プレハブ物置を建物や隣地境界側などに近接して設置したい時、出入口の有る手前に対し奥の背面側に屋根勾配が下がっていると、雨排水や雪の落下を考慮して奥にその余地を空けることになり、その分物置を前に出さなければならない事を課題とする。
【課題を解決するための手段】
【０００４】  以上の課題を解決するための考案は、簡易プレハブ物置の出入口が有る手前側に、屋根勾配の水下が来る構造とする。
【考案の効果】
【０００５】  簡易プレハブ物置を団地等での限られたスペースに設置するに際し、物置は可能な限り建物や境界側に近接して配置し、敷地の有効利用を図りたい。その際屋根の勾配が出入口の有る手前側が水下になっていると雨水は手前に流れるので、雨排水や雪が接している建物の外壁に掛かり湿気で外壁の劣化を早める恐れが無く、又隣地へ雨水や落雪の浸入で影響を及ぼす恐れを減少させる事が出来る。
同じ効果を考えた時に、屋根勾配を正面から見て左右に水上、水下とする方法もあるが、正面からの立面は、本考案の方が屋根のラインが水平になり安定感があるので、背景になる建物や塀とのバランスが良く採用されやすい。
【考案を実施するための最良の形態】
【０００６】  この考案の実施形態を図１に示す。
図１
屋根勾配が水下になっている側に、出入口を設けている。
【実施形態の効果】
【０００７】  この考案によると、限られた敷地に簡易プレハブ物置を設置する場合において屋根の雨排水や落雪の心配が無いので、設置場所選択の自由度が増し敷地の有効活用につながる。
【他の実施形態】
【０００８】  簡易プレハブ物置の屋根勾配が水上水下のどちらにも、出入口が自由に取付けられる仕様が考えられる。
例えば出入口を正面と背面の両方に取付けられると、内部を通路として利用することにより、路地状の狭い空間にも設置が出来る。
【図面の簡単な説明】
【０００９】
【図１】  考案について実施形態を示す斜視図である。（出入口の形状は在来型に倣い物置の大きさにより異なる）
【図２】  在来型の形態を示す斜視図である。
【符号の説明】
【００１０】  ａ  屋根
ｂ  屋根勾配
ｃ  外壁
ｄ  出入口
【図１】
0003125561.tif 000003
【図２】
0003125561.tif 000004
【手続補正書】
【提出日】平成18年2月28日(2006.2.28)
【手続補正１】
【補正対象書類名】実用新案登録請求の範囲
【補正対象項目名】全文
【補正方法】変更
【補正の内容】
【実用新案登録請求の範囲】
【請求項１】
簡易プレハブ物置において、片流れ屋根の勾配を出入口側に水下側が来る様にした簡易プレハブ物置。
(57)【要約】【課題】円筒形弾性体と2本のゴムベルトによって構成され、車両のシートやヘッドレストに2本のゴムベルトで取り付けられ、後頭部及び首上部に円筒形弾性体があたることにより、首や肩への疲労を抑えることができる。【解決手段】円筒形弾性体と2本のゴムベルトによって構成され、後頭部及び首上部に円筒形弾性体があたることを特徴とする車両座席シート及びヘッドレストに取り付ける首枕と提供する。【選択図】図２
0003125568.tif 000002
【実用新案登録請求の範囲】
【請求項１】
車両座席シート及びヘッドレスト取付首枕であって、円筒形弾性体と2本のゴムベルトによって構成され、後頭部及び首上部に円筒形弾性体があたることを特徴とする車両座席シート及びヘッドレスト取付首枕
【請求項２】
請求項１に記載の円筒形弾性体が、図２に示すように硬度の高い半円筒形弾性体1と硬度の低い半円筒形弾性体2の2つで構成されていることを特徴とする車両座席シート及びヘッドレスト取付首枕
【請求項３】
請求項１及び請求項２に記載の円筒形弾性体が後頭部に合うように凹形状となっていることを特徴とする車両座席シート及びヘッドレスト取付首枕
【考案の詳細な説明】
【技術分野】
【０００１】
本考案は、車両用座席シート及びヘッドレストに取り付ける首枕に関する。
【背景技術】
【０００２】
従来の車両用座席シート枕は腰部や背中に枕状のクッションを紐で取り付けたもので首及び後頭部に使用するものではなかった。
【考案の開示】
【考案が解決しようとする課題】
【０００３】
座席シートへ長時間もたれていると、車両走行中の振動が次第に後頭部に蓄積され、目の疲れ、集中力の低下、ストレスの発生などが生じる。
【０００４】
特に車両などを運転する人は、座席シートの後頭部へ長時間もたれることが無いため、首や肩の筋肉疲労が早く表れ、居眠り運転等を引き起こす要因となる。
【０００５】
本考案は、上記の問題点を解決することを目的としている。
【課題を解決するための手段】
【０００６】
本考案は、円筒形弾性体と2本のゴムベルトによって構成され、車両のシートやヘッドレストに2本のゴムベルトで取り付けられ、後頭部及び首上部に円筒形弾性体があたることにより、首や肩への疲労を抑えることができる。
【考案の効果】
【０００７】
本考案により、後頭部及び首上部に円筒形弾性体があたることにより、首や肩への疲労を抑えることができるため、目の疲れ、集中力の低下、ストレスの発生などを軽減することができる。
【考案を実施するための最良の形態】
【０００８】
図1に車両用座席シートに取り付けて使用する形態を示す。図２にヘッドレストに取り付けて使用する形態を示す。取り付け時に円筒形弾性体の上下を選択する事により硬さの選択をすることができる。円筒形弾性体をシートに座る人間の後頭部首上位にあたるように高さを調節して取り付ける。顎が持ち上がるような位置に調節すると、頭部を持ち上げる応力が働き、首と肩にかかる力が軽減され、如いては筋肉疲労・目の疲れ・集中力の低下・ストレスなどを軽減される。
【図面の簡単な説明】
【０００９】
【図１】シートに取り付けた状態を示す図面である。
【図２】ヘッドレストに取り付けた状態を示す図面である。
【図３】首枕の構造を示す側面図である。
【符号の説明】
【００１０】
101車両用座席シート背もたれ
102円筒形弾性体
103ゴムベルト
104半円筒形弾性材1
105半円筒形弾性材2
106ヘッドレスト
【図１】
0003125568.tif 000003
【図２】
0003125568.tif 000004
【図３】
0003125568.tif 000005
【手続補正書】
【提出日】平成18年4月25日(2006.4.25)
【手続補正１】
【補正対象書類名】実用新案登録請求の範囲
【補正対象項目名】全文
【補正方法】変更
【補正の内容】
【実用新案登録請求の範囲】
【請求項１】
車両座席シート用ヘッドレスト取付首枕であって、円筒形弾性体と2本のゴムベルトによって構成され、後頭部及び首上部に円筒形弾性体があたることを特徴とする車両座席シート用ヘッドレスト取付首枕
【請求項２】
請求項１に記載の円筒形弾性体が、車両座席シートへの装着状態において上部半円筒形と下部半円筒形の2つで構成され、硬度の高い半円筒形弾性体1と硬度の低い半円筒形弾性体2の2つで構成されていることを特徴とする車両座席シート用ヘッドレスト取付首枕
【請求項３】
請求項１または請求項２に記載の円筒形弾性体が後頭部に合うように凹形状となっていることを特徴とする車両座席シート用ヘッドレスト取付首枕
【手続補正書】
【提出日】平成18年7月21日(2006.7.21)
【手続補正１】
【補正対象書類名】実用新案登録請求の範囲
【補正対象項目名】全文
【補正方法】変更
【補正の内容】
【実用新案登録請求の範囲】
【請求項１】
車両座席シート用ヘッドレスト取付首枕であって、円筒形弾性体と2本のゴムベルトによって構成され、後頭部及び首上部に円筒形弾性体があたることを特徴とする車両座席シート用ヘッドレスト取付首枕
【請求項２】
請求項１に記載の車両座席シート用ヘッドレスト取付首枕において、円筒形弾性体が、車両座席シートへの装着状態において上部半円筒形と下部半円筒形の2つで構成され、硬度の高い半円筒形弾性体1と硬度の低い半円筒形弾性体2の2つで構成されていることを特徴とする車両座席シート用ヘッドレスト取付首枕
【請求項３】
請求項１または請求項２に記載の車両座席シート用ヘッドレスト取付首枕において、円筒形弾性体が後頭部に合うように凹形状となっていることを特徴とする車両座席シート用ヘッドレスト取付首枕
(57)【要約】      （修正有）【課題】  冷たい飲み物に入れるブロックアイスを様々な色に着色したカラーブロックアイスにして、楽しい飲み物にする。【解決手段】  水を着色し、様々な形の型を作り、それに流し込み凍らせる。【選択図】図１
0003125569.tif 000002
【実用新案登録請求の範囲】
【請求項１】
様々な色、赤、青、黄、緑、紫、橙、桃色等にそれぞれ着色された水を凍らせたカラーブロックアイス。
【請求項２】
人物、動物、花、物の形をしているカラーブロックアイス。
【請求項３】
様々な香りが付いているカラーブロックアイス。
【請求項４】
アルコール、甘味、辛味、塩味等の味覚が含まれているカラーブロックアイス。
【請求項５】
果物、植物の一部が入っているカラーブロックアイス。
【考案の詳細な説明】
【技術分野】
【０００１】  酒やソフトドリンク等を冷やして飲む時、グラスに入れる氷をカラフルな色付き氷にする。氷の形は四方形が基本であるが、丸や三角形、又人物、動物、花や物の形等様々な形にして、それをカラーにして楽しいカラーブロックアイスにする。
【背景技術】
【０００２】  ブロックアイスは水だけを凍らせた物だけで、氷にカラーを取り入れた物はない。
【考案が解決しようとする課題】
【０００３】  酒やソフトドリンク等を冷やして飲む時グラスに入れる氷は水を凍らせた水だけの透明な氷であったが、それをもっとカラフルにして楽しい飲み物にする。
【考案を解決しようとする手段】
【０００４】  ブロックアイスを作る時氷となる水に、青、赤、黄等、数１０色の色を付け加え、カラフルなそれぞれの色を持ったブロックアイスにする。形は四角形を基本に丸、三角、その他動物、人物、花や物の形の型を作り、その形を表現する。
【考案実施の形態】
【０００５】  ▲１▼水を様々な色でそれぞれ着色する。
▲２▼四角形のブロックを基本とし、人物、動物、花、その他の物のブロックの型を作り着色した水を流し込み凍らせる。
【実施例】
【０００６】  以下は添付図により実施例を説明する。
図１の▲１▼の型に▲２▼の着色したカラー水を入れて凍らせる。▲３▼は人物、動物、花等の型である。
【考案の効果】
【０００７】  上述の様に、本考案のカラーブロックアイスはご家庭や様々なパーティー、飲食店での飲み物を楽しくカラフルに演出することができる
【図面の簡単な説明】
【０００８】
【図１】  カラーブロックアイスにカラー水を入れて凍らせる型の図。
【符号の説明】
【０００９】  １  四角形のブロックアイスの型
２  着色した水
３  人物、動物、花、その他の形の型の例
【図１】
0003125569.tif 000003
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
様々な色、赤、青、黄、緑、紫、橙、桃色等様々な色にそれぞれ着色された水に果物、植物の一部を入れ凍らせてブロックにしたことを特徴とするカラーブロックアイス。
(57)【要約】【課題】  本考案は、ライナー取外し可能な上衣の着用感を、ライナー付きの時と、ライナーが無い時、さらにライナー単品での着用時のそれぞれを同じ着用感で着られるようにする。【解決手段】  本考案は、ライナーを付けた着用時にその厚み分からくる必要な外身頃の外周のユトリ分を、ライナーに前立を作り、その前立を外身頃の一部として外身頃とジッパーで取り付け、ライナーを外した時は本来の外身頃だけで前を止めることによって、その前立て分が細くなり、ライナーを外した着用時も、ライナー単品の着用時やライナーを付けたアウター着用時と同様のフィット感が得られるように、外身頃に出るライナーの前立分量とライナーの厚みを考慮することによって課題を解決している。【選択図】図２
0003125570.tif 000002
【実用新案登録請求の範囲】
【請求項１】
ライナー付き着用時やライナー無し着用時さらに単品ライナー着用時に同じ着用感のある上衣。
【考案の詳細な説明】
【技術分野】
【０００１】  本考案は、着脱可能なライナー付き上衣に関するものである。
【背景技術】
【０００２】  従来の着脱可能なライナー付き上衣は、ライナーを付けた状態でユトリを考慮しているので、ライナーを付けた状態またはそのライナー単品での状態で着用した時と、ライナーを外した状態で上衣を着用した時では、１サイズくらい違った着用感がおきて着用上問題がある。
【考案の開示】
【考案が解決しようとする課題】
【０００３】  ライナーを付けた着用状態またはライナー単品での着用状態では、適度なフィット感を得られるが、ライナーを外した状態で上衣を着用すると、ライナーの厚み分だけ、大きくなってしまって着用し難い。そこで、ライナー単品着用やライナー有無の両着用時に同様な適度なフィット感が得られることを目的とする。
【課題を解決するための手段】
【０００４】  本考案は、ライナーを付けた着用時にその厚み分からくる必要な外身頃の外周のユトリ分を、ライナーに前立を作り、その前立を外身頃の一部として外身頃とジッパーで取り付け、ライナーを外した時は本来の外身頃だけで前を止める事によって、その前立て分が細くなり、ライナーを外した着用時も、ライナー単品の着用時やライナーを付けた上衣着用時同様のフィット感が得られるように、外身頃に出るライナーの前立分量とライナーの厚みを考慮することによって課題を解決している。
【考案の効果】
【０００５】  ライナーを付けた着用状態と外した着用状態または、単品のライナーの着用状態で同サイズのチェスト・ウェスト着用感を作り出すことによって、それぞれのスタイルでよりシャープなラインを出す事が可能になり、ライナーの有無に関係なく着用する時に、同様のフィット感で着用する事が可能になる。
【考案の実施するための最良の形態】
【０００６】  従来のライナー取外し可能な上衣は、内側にライナーを付けた状態で設定し、ライナーを外した時にライナーの厚み分だけサイズが大きくなってしまって、ブカブカした状態で着用しなければいけなかった。そこで、ライナー無しの状態で寸法設定し、ライナーを付けることによって必要になる身幅増寸をライナーに前立部分を作り、その部分を表に出して外身頃とジッパーで結合することによって、ライナー無しと有りの着用感やライナー単品の着用感を同等にする機能・利便性を生み出している。
【実施例】
【０００７】  以下、添付図面に従って実施例を説明する。図１は通常のライナー取外し可能な上衣で、インナーのライナーが上衣の中にスッポリ入る大きさで作られている。これでは、全く別のものを袖口・襟で止めているだけで、ライナーは上衣の見返しに付けられている為に、単品で着ると見返しの部分だけさらに小さくなり、極論すれば上衣の外身頃とライナーは、ワンサイズ違いまたはそれ以上違うものを付けているだけである。【０００８】  図２のマルチ・フィット・レイヤード・ジャケットのデザイン例が示すようにインナーのライナー前立部分が外身頃とジッパーで結合され、この時の前立全巾は、直径の３．１４倍が円周という事を勘案して、ライナーの肉の厚みが１ｃｍなら６ｃｍという様に、インナーの厚みのほぼ６倍を基本とする。【０００９】  マルチ・フィット・レイヤード・ジャケットの外身頃とライナーを単品図である図３からも分かるように、それぞれの単品の身幅は、素材にも拠るが、ほぼ同寸で設計されており、同じような着用感が得られるようになっている。さらに、この仕様だとアウターやライナーも、単品として着る場合に表面・裏面の着用、いわゆるリバーシブルでデザインすることもできる。【００１０】  具体的に１ｃｍの厚みのライナーを想定した場合、ライナーの前立は片側３ｃｍで総巾６ｃｍになるように設定して、その前立部分は、異素材でもいいが、表地と共通させる事によって、ライナー付きの着用時により自然なデザインにすることができ、さらに、ライナーのフロントセンターのジッパーや外身頃とライナーの接合ジッパーをリバーシブル用にする事によって、それぞれもリバーシブルにすることも可能である。図４は、ライナーをリバーシブルにしたアウターパターンで、インナーとアウター表身頃とを、通常のライナー付きに見られるように、背中心と襟グリが交差するいわゆるＯ点と袖口でそれぞれ釦止めをして脱ぎ着するときにライナーが出ないようにしてある。
【図面の簡単な説明】
【００１１】
【図１】  一般的なライナー付きの上衣とそのライナーである。
【図２】  マルチ・フィット・レイヤードのデザイン画である。
【図３】  マルチ・フィット・レイヤードの単品図である。
【図４】  マルチ・フィット・レイヤードのリバーシブル・パターンである。
【図１】
0003125570.tif 000003
【図２】
0003125570.tif 000004
【図３】
0003125570.tif 000005
【図４】
0003125570.tif 000006
【手続補正書】
【提出日】平成18年6月15日(2006.6.15)
【手続補正１】
【補正対象書類名】実用新案登録請求の範囲
【補正対象項目名】全文
【補正方法】変更
【補正の内容】
【実用新案登録請求の範囲】
【請求項１】
ライナー付き着用時やライナー無し着用時さらに単品ライナー着用時に同じ着用感を得る為に、ライナーの両前に表地と結合する前立をつくり、ライナーの厚み分を表に出る前立巾分量で調節することができるという構造を有する上衣。
(57)【要約】      （修正有）【課題】防犯ブザーを吊り下げることをなくし、固定することで防犯ブザーの内部回路、配線に衝撃を与えないように保護する防犯ブザーホルダーを提供する。【解決手段】筒状のホルダーを形成し、フック掛け用Ｄカン、Ｌ字フック固定孔に防犯ブザーを装着し、固定をする防犯ブザーホルダー。この防犯ブザーホルダーはランドセルの肩ベルトに通して使用する。【選択図】図１
0003125567.tif 000002
【実用新案登録請求の範囲】
【請求項１】
主にランドセルの肩ベルトに通して装着することを想定した筒状のホルダーで、防犯ブザーを取り付け固定する機能を備えブザーの性能を保護するための防犯ブザーホルダー。
【請求項２】
取り付ける防犯ブザーの形状は背面部にＬ字型フックを配置し防犯ブザー上部にリング・鍵フックなどの吊り下げ用具を有する防犯ブザーが取り付け可能な請求項１記載の防犯ブザーホルダー。
【考案の詳細な説明】
【技術分野】
【０００１】  特に小学生が使用するに適した防犯ブザーホルダーに関する。
【背景技術】
【０００２】従来の防犯ブザーはランドセルや衣服にリングやつり紐、止め具を介してぶらさげて使用し、防犯ブザー本体の下部に操作用の紐がついていて紐を引き抜くことでブザー内部で通電し、警報音がなるようになっている。
【考案の開示】
【考案が解決しようとする課題】
【０００３】歩いたり、走ったりと動きの激しい小学生が防犯ブザーを携帯していると、吊り下げていることにより、動きに応じてブラブラと揺れるため、衝撃が与えられるため防犯ブザー本来の機能を破損する可能性がある。
【課題を解決するための手段】
【０００４】防犯ブザーを吊り下げることをなくし、固定することで防犯ブザーの内部回路、配線に衝撃を与えないように保護する事で上記従来の難点を解消することを目的とする。
【考案の効果】
【０００５】前記の目的を達成するための具体的手段として防犯ブザーを固定し、防犯ブザーホルダーをランドセルの肩ベルトに通して設置することで、胸元に防犯ブザーを携帯出来、安定した使用を可能とし、見た目にも被着者の前面の視界に入る所に防犯ブザーが確認出来るため犯罪抑止効果が促せる。
【考案を実施するための最良の形態】
【０００６】防犯ブザーホルダーについては、実施形態を示す添付図面に基づいて説明する。（図１）の防犯ブザーホルダーは（図２）防犯ブザーを固定する機能を備え、取り付ける（図１ａ−２）防犯ブザーは背面に（図２ｂ−１）Ｌ字フックを配置し防犯ブザー上部にリング・鍵フックなどの（図１ａ−１）吊り下げ用具を有する防犯ブザーをランドセルの（図３−２）肩ベルトに通して使用することが好ましい。
【実施例】
【０００７】防犯ブザーホルダーは（図１）防犯ブザーを固定するためにブザー本体背面のＬ字フックが差し込める形状の（図１−３）Ｌ字フック固定孔と、ブザー本体上部の吊り下げ用具を止める（図１−２）フック掛け用Ｄカンを備え、ランドセル肩ベルトにホルダーを通して固定するための（図１−１）本体固定綿ロープで使用者の成長に合わせ、設置位置を調整することを可能とする。【０００８】防犯ブザーホルダーを構成する生地は撥水・防水加工を施し、色も交通安全の意味を持つ黄色が望ましい。【０００９】装着する防犯ブザーは（図２）のようにブザー上面にリング・フックなどの（図２ａ−１）吊り下げ用具を備え、（図２ａ−２）ブザー本体の下部に引き抜くと内部回路に電流をながし、ブザー音を発生させる（図２ａ−３）警戒音発生引き金部材を設置し、ブザー背面に（図２ｂ−１）Ｌ型フックを有する型の防犯ブザーに対し防犯ブザーホルダーの使用は適している。【００１０】（図１）防犯ブザーホルダーを（図３）ランドセルに装着するには（図３−２）ランドセルの肩ベルトを下から筒状のホルダーを通して使用者の体に合わせて防犯ブザーが胸元にくるように調節し、（図１−１）本体固定綿ロープを（図３−１）ランドセル肩ベルト留めリング金具に綿ロープを通して結んで固定する。
【産業上の利用可能性】
【００１１】防犯を目的として、塾カバンや、リュックサック、車椅子、ベビーカーへの携帯利用などが見込まれる。
【図面の簡単な説明】
【００１２】
【図１】防犯ブザーホルダーの形状を示す全体斜視図。
【図２】防犯ブザーホルダーに取り付け可能な防犯ブザーを示す。ａは正面図、ｂは防犯ブザー断面図でその形状を示す。
【図３】防犯ブザーホルダーをランドセルに取り付けた状態を示す説明図。
【符号の説明】
図１・・・・・・・防犯ブザーホルダー図面
図１−１・・・・・本体固定綿ロープ
図１−２・・・・・フック掛け用Ｄカン
図１−３・・・・・Ｌ字フック固定孔
図１−４・・・・・防犯ブザーホルダー
図２ａ・・・・・・防犯ブザー正面図面
図２ａ−１・・・・吊り下げ用具
図２ａ−２・・・・防犯ブザー
図２ａ−３・・・・警戒音発生引き金部材
図２ｂ・・・・・・防犯ブザー断面図
図２ｂ−１・・・・Ｌ型フック
図３・・・・・・・ランドセル全体図
図３−１・・・・・ランドセル肩ベルト金具留めリング
図３−２・・・・・肩ベルト
【図１】
0003125567.tif 000003
【図２】
0003125567.tif 000004
【図３】
0003125567.tif 000005
(57)【要約】【課題】  従来釘などが刺さってパンクして走ることが出来なかった自転車等が目的地までたどり着け、誰もが簡易に元の乗り心地のタイヤやタイヤチューブにすることが出来、通学・通勤・買い物・サイクリングなど安心して外出できるようにする。【解決手段】  自転車等のタイヤやタイヤチューブに複数の球形あるいは異形のゴム等弾力性のある物質や空気が入った複数の外形が球形あるいは異形のゴム等弾力性のある物質が注入されたタイヤやタイヤチューブおよび注入するための器財・取り付け金具や補助金具を使う。【選択図】図２
0003125566.tif 000002
【実用新案登録請求の範囲】
【請求項１】
自転車などのパンク改善として複数の球形または異形のゴム等弾力性のある物質をあるいは空気とともに注入したタイヤやタイヤチューブ。
【請求項２】
自転車などのパンク改善として複数の空気が入った外形が球形または異形のゴム等弾力性のある物質をあるいは空気とともに注入したタイヤやタイヤチューブ。
【請求項３】
自転車などのパンク改善として複数の球形または異形のゴム等弾力性のある物質や空気が入った外形が球形または異形のゴム等弾力性のある物質をあるいは空気とともに注入するための器財。
【請求項４】
請求項１・請求項２・請求項３・請求項４を満たすためのタイヤやタイヤチューブ等の取り付け金具や補助金具。
【考案の詳細な説明】
【技術分野】
【０００１】  本考案は、自転車等のパンク対策に関する。
【背景技術】
【０００２】  これまでのパンク防止やパンク対策においてラジアルタイヤのようにタイヤやチューブ自体を工夫したものがある。【０００３】  また、パンクしたときにその穴がふさがるようにしたタイヤやタイヤチューブもあり、パンクした際に空気とともにその穴をふさぐ器財も発売されている。【０００４】  さらに、タイヤ自体に空気を入れる必要のないゴムなどの弾力性物質で作り、パンクがしないというものもある。
【考案の開示】
【考案が解決しようとする課題】
【０００５】  従来の方法ではパンクした際に空気とともにその穴をふさぐ器財がなかったり、パンク穴が大きい場合には穴がふさがるようにしたタイヤやタイヤチューブや穴をふさぐ器財では効果がなかった。【０００６】  また、タイヤ自体に空気を入れる必要のないゴムなどの弾力性物質で作られたタイヤは乗り心地が悪いという欠点があった。
【課題を解決するための手段】
【０００７】  上記の課題を解決するために複数の球形または異形のゴム等弾力性のある物質をあるいは空気とともに注入したタイヤやタイヤチューブを使えば、釘などが刺さっても複数の球形または異形のゴム等弾力性のある物質に刺さり、たとえ同時に入れたとした空気が抜けても目的地までたどり着けるようにする。【０００８】  また、空気が入った複数の外形が球形または異形のゴム等弾力性のある物質をあるいは空気とともに注入したタイヤやタイヤチューブを使えば、釘などが刺さっても空気が入った外形が球形または異形のゴム等弾力性のある物質が何個か壊れるだけで、たとえ同時に入れたとした空気が抜けても目的地までたどり着けるようにする。【０００９】  さらに、修理するのに複数の球形または異形のゴム等弾力性のある物質や空気が入った複数の外形が球形または異形のゴム等弾力性のある物質を再注入するだけで誰誰もが簡易に元の乗り心地のタイヤやタイヤチューブにする。
【考案の効果】
【００１０】  考案した自転車などのパンク改善手段や器財により、従来釘などが刺さってパンクして走ることが出来なかった自転車等が目的地までたどり着け、誰もが簡易に元の乗り心地のタイヤやタイヤチューブにすることが出来、通学・通勤・買い物・サイクリングなど安心して外出できる。
【考案を実施するための最良の形態】
【００１１】  自転車等のタイヤやタイヤチューブに複数の球形あるいは異形のゴム等弾力性のある物質や空気が入った複数の外形が球形あるいは異形のゴム等弾力性のある物質が注入されたタイヤやタイヤチューブおよび注入するための器財・取り付け金具や補助金具を使う。
【実施例】
【００１２】  １０ミリの空気が入った球形のゴム等弾力性のある物質を適合させた注入口より従来の自転車タイヤに空気とともに複数注入し、画鋲上を走ったところ従来では全部空気が抜けた状態になるタイヤが少し空気の抜けた状態になっただけで自転車の操作には影響がなくそのまま走ることが出来た。
【産業上の利用可能性】
【００１３】  通勤・通学・買い物・サイクリングなど安心して自転車が使え、特に夜道や初めての通りなどでのパンクの心配がなく防犯などにもよい。
【図面の簡単な説明】
【００１４】
【図１】  空気が入った球形のゴム等弾力性のある物質を注入したタイヤチューブを示した正面図である。
【図２】  空気が入った球形のゴム等弾力性のある物質を注入したタイヤチューブが画鋲により空気が入った球形のゴム等弾力性のある物質の数個破裂を示した概略図である。
【図３】  自転車などのパンク改善として複数の球形または異形のゴム等弾力性のある物質や空気が入った外形が球形または異形のゴム等弾力性のある物質をあるいは空気とともに注入するための器財を示した概略図である。
【符号の説明】
【００１５】１  タイヤチューブ
２  空気が入った球形のゴム等弾力性のある物質
３  ２の物質をタイヤチューブに入れるための取り付け金具
４  画鋲
５  破裂した球形のゴム等弾力性のある物質
６  ２の物質が入った注入器財
７  注入器財のノズル
【図１】
0003125566.tif 000003
【図２】
0003125566.tif 000004
【図３】
0003125566.tif 000005
【手続補正書】
【提出日】平成18年4月17日(2006.4.17)
【手続補正１】
【補正対象書類名】実用新案登録請求の範囲
【補正対象項目名】請求項４
【補正方法】変更
【補正の内容】
【請求項４】
請求項１〜３のいずれか１項に記載のタイヤやタイヤチューブ等の取り付け金具や補助金具。
【手続補正書】
【提出日】平成18年6月28日(2006.6.28)
【手続補正１】
【補正対象書類名】実用新案登録請求の範囲
【補正対象項目名】全文
【補正方法】変更
【補正の内容】
【実用新案登録請求の範囲】
【請求項１】
自転車などのパンク改善として複数の球形または異形のゴム等弾力性のある物質を注入するか又は空気とともに注入したタイヤやタイヤチューブ。
【請求項２】
自転車などのパンク改善として複数の空気が入った外形が球形または異形のゴム等弾力性のある物質を注入するか又は空気とともに注入したタイヤやタイヤチューブ。
【請求項３】
自転車などのパンク改善として複数の球形または異形のゴム等弾力性のある物質を注入するか又は空気とともに注入するための注入器材及び複数の空気が入った外形が球形または異形のゴム等弾力性のある物質を注入するか又は空気とともに注入するための注入器材。
【請求項４】
請求項１〜２の物質を注入するためのタイヤやタイヤチューブの取り付け金具又は補助金具。
(57)【要約】      （修正有）【課題】果実自体の形状が安定し、利用価値が高まる梅果実のシロップ漬の提供。【解決手段】小型ポーションカップ２に、飲料として用いる１回の使用量のシロップ１と梅果実Ｕ１粒を共に封入する。梅果実は、果皮を取り除いたものを用いる。果実の肩崩れは最小限に抑えられ、見た目も向上させることが出来る。【選択図】図１
0003125574.tif 000002
【実用新案登録請求の範囲】
【請求項１】
小型ポーションカップに、梅果実１粒と共にシロップを封入した、梅果実のシロップ漬け。
【考案の詳細な説明】
【技術分野】
【０００１】  本考案は、小型ポーションカップに、梅果実１粒とシロップを封入した、梅果実のシロップ漬けに関する。
【背景技術】
【０００２】  従来の梅果実のシロップ漬けは、主に、シロップを水等で割り、梅ジュースやその他の梅に関する飲料の製造用に用いられ、梅果実が複数入った瓶等（図２）で販売又は、家庭内で製造されていたが、シロップ漬け使用時、瓶から果実１粒を取り出す際に、非常に手間が掛かっていた。
【考案の開示】
【考案が解決しようとする課題】
【０００３】  しかし、これでは、果実を取り出す際に果実の型崩れが起きたり、瓶等の周囲がシロップで汚れてしまったりと、手間と時間がかかり、不便である。
【課題を解決するための手段】
【０００４】  そこで、小型ポーションカップに、飲料として用いる１回分の使用量のシロップと、梅果実１粒を共に封入した物を考案した（図１）。小型ポーションカップは、内容量２０〜４０ｍｌの物を用いる。これにより、果実の型崩れや、取り出す手間、不便さは無くなる。
【考案の効果】
【０００５】  よって、梅果実のシロップ漬け使用時に、果実を取り出す際の周りの汚れや、手間、不便さはなくなる。また、小型ポーションカップに梅果実１粒を入れる事で、果実自体の形状も安定し、利用価値が高まる。
【考案を実施するための最良の形態】
【０００６】  本考案に係る梅果実は、果皮を取り除いた梅果実を用いる事が望ましい。果皮を取り除いた梅果実を使用することで、果実の浸透性が向上し、熟成が早まる。よって生産性が向上するが、一般的に、果皮を剥いた梅果実は脆く、利用価値に欠ける。本考案の小型ポーションカップを用いる事で、果実の型崩れは最小限に抑えられ、又、見た目も向上する。
【図面の簡単な説明】
【０００７】
【図１】  本考案に係る小型ポーションカップ入り梅果実のシロップ漬けを図面化した断面図である。
【図２】  従来の梅果実のシロップ漬けを図面化した断面図である。
【符号の説明】
【０００８】  １          シロップ
２          小型ポーションカップ
３          上部フィルム
４          瓶容器
Ｕ          梅果実
【図１】
0003125574.tif 000003
【図２】
0003125574.tif 000004
(57)【要約】      （修正有）【課題】洋風便器に於いての便器本体及び便座間の隙間による尿漏れ防止が容易に出来る洋風便器の構造。【解決手段】便器本体又は便座の座位前方に壁状の凸部を設け隙間からの尿漏れを防ぐ構造にする。【選択図】図３
0003125579.tif 000002
【実用新案登録請求の範囲】
【請求項１】
洋風便器本体の座位前方に壁状の凸部を設けた構造
【請求項２】
洋風便器便座の座位前方に壁状の凸部を設けた構造
【考案の詳細な説明】
［考案の詳細な説明］
【０００１】［考案の属する技術分野］
本考案は、洋風便器座位姿勢放尿時の便器外への放尿漏れの防止を目的に考案されたものである。
【０００２】［従来の技術］
従来現状、洋風便器の便器本体に便座本体を倒し座位姿勢にて用便を行うとき便器と便座間に隙間があり座位放尿時に尿漏れが生じる構造であった。本考案に類似する尿漏れを防止する目的の構造は存在しない。
【考案が解決しようとする課題】
【０００３】洋風便器にての座位姿勢放尿時の便器外への尿漏れの対策を目的にした物である。
【課題を解決するための手段】
【０００４】上記目的を達成するために、本考案の便器及び便座前方に壁状の凸部を設け便器外への放尿漏れを防止する構造である。
【０００５】［考案の実施の形態］
次に、本考案の実施の形態を図面に従い説明する。
図１は、従来の洋風便器の上面図、正面図、Ａ−Ａ断面図である。
図２は、従来の洋風便器の使用状態図である。
図３は、本考案の洋風便器本体の座位前方に壁状の凸部を設けた便器の上面図、正面図、Ａ−Ａ断面図である。
図４は、本考案、図３の洋風便器の便座を閉めた斜視図である。
図５は、本考案、図３の洋風便器の便座を開けた斜視図である。
図６は、本考案、図３の洋風便器の使用状態図である。
図７は、本考案の洋風便器の便座の座位前方に壁状の凸部を設けた便器の上面図、正面図、Ａ−Ａ断面図である。
図８は、本考案、図７の洋風便器の便座を閉めた斜視図である。
図９は、本考案、図７の洋風便器の便座を開けた斜視図である。
図１０は、本考案、図７の洋風便器の使用状態図である。
以下に、これらの洋風便器の使用詳細を説明する。
【０００６】図２において、従来の洋風便器での座位姿勢にての放尿情況にては、図示の如くの便器本体と便座間の隙間より放尿物の外部漏れが生ずる構造であった。本考案では図３の３、に示す便器本体前方に壁状の凸部を設けた構造により図６に示す如く放尿物は便器本体前方の壁状凸部にあたり下方に流れる。これにより便器と便座の隙間から尿が外部に漏れることを防止できる。
図７、は便座に尿漏れ対策を施したものであり、図７の４に示す便座前方に壁状の凸部を設けた。図１０に示す如く放尿物は便座の壁状凸部にあたり下方に流れる。これにより便器本体と便座の隙間から尿が外部に漏れることを防止できる。
【考案の効果】
【０００７】洋風便器の座位姿勢での使用時における便器外部への尿漏れが防止でき衛生的である。
【図面の簡単な説明】
【図１】従来の洋風便器の上面図、正面図、Ａ−Ａ断面図
【図２】従来の洋風便器の使用状態図
【図３】本考案の便器本体に凸部を設けた便器の上面図、正面図、Ａ−Ａ断面図である。
【図４】本考案の斜視図
【図５】本考案の斜視図
【図６】本考案の使用状態図
【図７】本考案の便座に凸部を設けた便器の上面図、正面図、Ａ−Ａ断面図である。
【図８】本考案の斜視図
【図９】本考案の斜視図
【図１０】本考案の使用状態図
【記号の説明】
１  便座
２  便器本体
３  便器本体壁状凸部
４  便座壁状凸部
Ａ−Ａ  断面部の指示
Ｂ  便器本体拡大部の指示
Ｃ  便座拡大部の指示
【図１】
0003125579.tif 000003
【図２】
0003125579.tif 000004
【図３】
0003125579.tif 000005
【図４】
0003125579.tif 000006
【図５】
0003125579.tif 000007
【図６】
0003125579.tif 000008
【図７】
0003125579.tif 000009
【図８】
0003125579.tif 000010
【図９】
0003125579.tif 000011
【図１０】
0003125579.tif 000012
(57)【要約】【課題】手提げ袋に荷物を入れる際、量が多くなった時、丈短では入らない場合には、丈長の手提げ袋として使用する。【解決手段】手提げ袋を上部分と下部分とに分けオープンファスナーにて長さの調節をする。【選択図】図３
0003125580.tif 000002
【実用新案登録請求の範囲】
【請求項１】
手提げ袋をリバーシブルとして使用し、且つ裏面を二役使用できるものとする。
裏面の二役の使用とは
１、表面と同じ長さの丈長にて使用。
２、おしゃれ又は、勝手使いに依り短く使用。
２、の場合では、表の使用に於いては裏面が短くなり、本来の長さの使用ができない。
【考案の詳細な説明】
【技術分野】
【０００１】本考案は布又は革からなる手提げ袋に関する。
【背景技術】
【０００２】従来よりリバーシブルとして、表と裏の両面を使用できる手提げ袋は存在した。
【考案の開示】
【考案が解決しようとする課題】
【０００３】荷物の量に応じて手提げ袋の長さを長短自在に変更でき、袋の裏面を短くした場合は、表をそのまま使用せしめる際には、丈長の使用が不可能である。丈長で使用する為には表と同じ長さでなければならない。
【課題を解決するための手段】
【０００４】手提げ袋の裏面を上部分と下部分とに切り離し、底部を作成し上部分と底部分をオープンファスナーにて塞ぎ、短く使用する事とする。
丈長で使用する際には下部分を作成し上部分と下部分を縫い付けて使用する。この際には、底部はファスナーにて上部分より取り外し手提げ袋の蓋とする。
【考案の効果】
【０００５】大きな物や嵩張る物を手提げ袋に入れたい場合は丈長の使用とし、おしゃれ又は量の少ない場合は丈短の使用とし、且つリバーシブルとして３通りの使用が可能となる。また昨今スーパー等に於いては環境問題や省エネ対策としてレジ袋の有料化を検討している状況も考えられるので、その際荷が多くなっても対応出来るよう実用的にも優れたものである。
【実施例】
【０００６】裏面を短く使用した場合、表の余分な部分は中に折り込まれ（図３）の様になり、境目の役割もする。（図１）に於いてのポケットａは財布等も入れる事もできる。
【図面の簡単な説明】
【０００７】
【図１】本考案に係る手提げ袋の表面の斜視図である
【図２】本考案に係る手提げ袋の裏面の斜視図である
【図３】本考案に係る手提げ袋の断面図である
【図４】本考案に係る手提げ袋の丈短時の斜視図である
【図５】本考案に係る手提げ袋の底部である
【図６】本考案に係る手提げ袋の底部を蓋としての使用時である
【符号の説明】
Ａ    表布
Ｂ    裏布
Ｃ    裏布下部分
Ｄ    オープンファスナー上部分
Ｅ    オープンファスナー下部分
Ｆ    底部分
ａ    ポケット部分
【図１】
0003125580.tif 000003
【図２】
0003125580.tif 000004
【図３】
0003125580.tif 000005
【図４】
0003125580.tif 000006
【図５】
0003125580.tif 000007
【図６】
0003125580.tif 000008
【手続補正書】
【提出日】平成18年6月28日(2006.6.28)
【手続補正１】
【補正対象書類名】実用新案登録請求の範囲
【補正対象項目名】全文
【補正方法】変更
【補正の内容】
【実用新案登録請求の範囲】
【請求項１】
主に、布からなる袋であり表と裏のリバーシブルで、長い表布に対し裏布は上部分と下部分とに分け、下部分の袋を作成し上と下を接ぎあわせる、その際にオープンファスナーの一方を上部分の布と下部分の袋との間に縫い合わせて、表と同じ長さの袋とし、又もう一方の構成は、オープンファスナーをつけた底部分を作成し、上部分のオープンファスナーと装着して、丈短として使用する構造を有する手提げ袋。